(57)【要約】【課題】より優れた放熱特性を発揮し得るフィルムコンデンサを提供する。【解決手段】誘電体膜１４と金属蒸着膜１６とを積層してなる積層体１８を用いて得られるコンデンサ素子１２の最外層を、電気絶縁性と伝熱性とを備えた保護膜２２にて構成すると共に、かかるコンデンサ素子１２に対して、放熱板３２を、保護膜２２の外面のみに接触させた状態で装着して、構成した。【選択図】図１
2013038298.tif 000002
【特許請求の範囲】
【請求項１】
誘電体膜と金属蒸着膜とを積層してなる積層体を用いて得られるコンデンサ素子の、該誘電体膜と該金属蒸着膜の積層方向に対して垂直な一方向の両側に位置する一対の端面に、外部電極をそれぞれ形成して構成したフィルムコンデンサであって、
前記コンデンサ素子の最外層が、電気絶縁性と伝熱性とを備えた保護膜にて構成されていると共に、放熱板が、該保護膜の外面のみに接触して、該コンデンサ素子に装着されていることを特徴とするフィルムコンデンサ。
【請求項２】
前記コンデンサ素子の前記一対の端面を除く外面上と、該一対の端面にそれぞれ形成された前記外部電極の外面上とに対して、それらの外面の全体を被覆する樹脂被覆層が一体的に積層形成されて、前記保護膜との接触部を含む前記放熱板の一部分が該樹脂被覆層内に埋入されていることにより、該放熱板が該コンデンサ素子に固定されている一方、該樹脂被覆層から突出して、外部に露呈せしめられた該放熱板部分に、該コンデンサ素子を他部材に取り付けるための取付部が設けられている請求項１に記載のフィルムコンデンサ。
【請求項３】
二つの押圧板部を有するバネクリップが、前記コンデンサ素子の前記誘電体膜と前記金属蒸着膜の積層方向の両側に位置する二つの外面部分に対して、該二つの押厚板部において弾性的に接触して、該二つの外面部分を該積層方向の内側にそれぞれ押圧した状態で、該コンデンサ素子に装着されていることにより、該積層方向において互いに隣り合う前記積層体部分同士が、該バネクリップの弾性により密接させられていると共に、前記放熱板が、該バネクリップの該二つの押厚板部を含んで構成されている請求項１又は請求項２に記載のフィルムコンデンサ。
【発明の詳細な説明】
【技術分野】
【０００１】
本発明は、フィルムコンデンサに係り、特に、積層タイプや巻回タイプのフィルムコンデンサの改良に関するものである。
【背景技術】
【０００２】
従来から、電子機器に使用されるフィルムコンデンサとして、積層タイプや巻回タイプのフィルムコンデンサが知られている。積層タイプのフィルムコンデンサは、例えば、特開平１０−２０８９７２号公報（特許文献１）等に明らかにされるように、誘電体膜と金属蒸着膜とが積層されてなる積層体（例えば、樹脂フィルムの少なくとも一方の面に金属蒸着膜が形成された金属化フィルム等）の複数を用い、それら複数の積層体を、誘電体膜と金属蒸着膜とが交互に位置するように、更に積層して、積層型のコンデンサ素子を形成した後、このコンデンサ素子の、誘電体膜と金属蒸着膜の積層方向に対して垂直な一方向の両側に位置する一対の端面、即ち、互いに対向する一対の端面に、外部電極として、メタリコン電極をそれぞれ形成することによって製造されている。また、巻回タイプのフィルムコンデンサは、例えば、特開２００７−２２０７２０号公報（特許文献２）等に開示されるように、少なくとも二つの誘電体膜と少なくとも二つの金属蒸着膜とが交互に一つずつ位置するように積層されてなる積層体（例えば、樹脂フィルムの両面に金属蒸着膜が形成された金属化フィルムと樹脂フィルムとの積層フィルム等）を巻回して、巻回型のコンデンサ素子を形成した後、かかるコンデンサ素子の一対の端面に、外部電極として、メタリコン電極をそれぞれ形成することによって製造されている。
【０００３】
ところで、フィルムコンデンサは、積層タイプと巻回タイプの何れのタイプであっても、金属蒸着膜に電流が流されることによって、金属蒸着膜、ひいてはフィルムコンデンサの全体が、不可避的に発熱するが、このときの発熱量が大きいと、熱劣化が生じて、コンデンサ性能が低下する恐れがあるため、使用可能な温度範囲を設定していた。また、従来のフィルムコンデンサの中には、外部電極に接続される外部接続用端子を金属板にて構成し、この金属板からなる外部接続用端子を通じて、放熱を行うようにしたものもある。
【０００４】
一方、近年では、フィルムコンデンサを搭載する電子機器内の高密度化が進んでおり、それに伴って、フィルムコンデンサの小型化が求められている。そこで、最近では、そのようなフィルムコンデンサに対する小型化の要求を満たすべく、誘電体や金属蒸着膜が、更に薄肉化される傾向にある。ところが、金属蒸着膜を薄くすると、金属蒸着膜への通電による発熱量が増大するだけでなく、金属蒸着膜から外部電極への伝熱性も悪化し、そのために、外部接続用端子による放熱だけで十分な放熱効果を得ることが困難となる。それ故、そのような状況下において、フィルムコンデンサの放熱構造の改善が、今、強く望まれているのである。
【先行技術文献】
【特許文献】
【０００５】
【特許文献１】特開平１０−２０８９７２号公報
【特許文献２】特開２００７−２２０７２０号公報
【発明の概要】
【発明が解決しようとする課題】
【０００６】
ここにおいて、本発明は、上述せる如き事情を背景にして為されたものであって、その解決課題とするところは、より優れた放熱特性を発揮し得るように改良されたフィルムコンデンサの構造を提供することにある。
【課題を解決するための手段】
【０００７】
そして、本発明にあっては、上記の課題の解決のために、誘電体膜と金属蒸着膜とを積層してなる積層体を用いて得られるコンデンサ素子の、該誘電体膜と該金属蒸着膜の積層方向に対して垂直な一方向の両側に位置する一対の端面に、外部電極をそれぞれ形成して構成したフィルムコンデンサであって、前記コンデンサ素子の最外層が、電気絶縁性と伝熱性とを備えた保護膜にて構成されていると共に、放熱板が、該保護膜の外面のみに接触して、該コンデンサ素子に装着されていることを特徴とするフィルムコンデンサを、その要旨とするものである。
【０００８】
なお、本発明の有利な態様の一つによれば、前記コンデンサ素子の前記一対の端面を除く外面上と、該一対の端面にそれぞれ形成された前記外部電極の外面上とに対して、それらの外面の全体を被覆する樹脂被覆層が一体的に積層形成されて、前記保護膜との接触部を含む前記放熱板の一部分が該樹脂被覆層内に埋入されることにより、該放熱板が該コンデンサ素子に固定される一方、該樹脂被覆層から突出して、外部に露呈せしめられた該放熱板部分に、該コンデンサ素子を他部材に取り付けるための取付部が設けられる。
【０００９】
また、本発明の好ましい態様の一つによれば、二つの押圧板部を有するバネクリップが、前記コンデンサ素子の前記誘電体膜と前記金属蒸着膜の積層方向の両側に位置する二つの外面部分に対して、該二つの押厚板部において弾性的に接触して、該二つの外面部分を該積層方向の内側にそれぞれ押圧した状態で、該コンデンサ素子に装着されることにより、該積層方向において互いに隣り合う前記積層体部分同士が、該バネクリップの弾性により密接させられると共に、前記放熱板が、該バネクリップの該二つの押厚板部を含んで構成されることとなる。
【発明の効果】
【００１０】
すなわち、本発明に従うフィルムコンデンサでは、金属板からなる外部接続用端子を外部電極に接続することにより、金属蒸着膜への通電時に生ずる熱を外部（大気中）に放出することができる。また、それに加えて、コンデンサ素子の外面に接触して装着された放熱板によっても、金属蒸着膜への通電時に生ずる熱を外部（大気中）に放出することが可能となっている。
【００１１】
従って、本発明に従うフィルムコンデンサにあっては、単に、外部接続用端子のみを通じて放熱される従来のフィルムコンデンサに比して、より優れた放熱特性が発揮され得る。そして、その結果として、金属蒸着膜の薄肉化により小型化されても、十分な放熱効果が安定的に確保され、以て、電子機器内への高密度実装が、極めて有利に実現され得るのである。
【図面の簡単な説明】
【００１２】
【図１】本発明に従う構造を有するフィルムコンデンサの一実施形態を示す縦断面説明図であって、図２のＩ−Ｉ断面に相当する図である。
【図２】図１のII−II断面説明図である。
【図３】本発明に従う構造を有するフィルムコンデンサの別の実施形態を示す縦断面説明図であって、図４のIII−III断面に相当する図である。
【図４】図３のIV−IV断面説明図である。
【図５】図３に示されたフィルムコンデンサが有する放熱板の正面説明図である。
【図６】図５のVI矢視説明図である。
【図７】図５の VII矢視説明図である。
【発明を実施するための形態】
【００１３】
以下、本発明を更に具体的に明らかにするために、本発明の実施の形態について、図面を参照しつつ、詳細に説明する。
【００１４】
先ず、図１及び図２には、本発明に従う構造を有するフィルムコンデンサの一実施形態が、切断部位が互いに異なる縦断面形態において、それぞれ示されている。それら図１及び図２から明らかなように、本実施形態のフィルムコンデンサ１０は、全体として、略直方体形状を呈する１個のコンデンサ素子１２を備えている。
【００１５】
このコンデンサ素子１２は、誘電体膜たる樹脂フィルム１４の一方の面上に金属蒸着膜１６が積層形成されてなる、積層体としての金属化フィルム１８の複数が、更に互いに積層された、略直方体形状を呈する積層構造体２０を有している。そして、かかる積層構造体２０の長さ方向（金属化フィルム１８の積層方向に直角な一方向であって、図１の紙面に垂直な方向、及び図２の左右方向）の両側にそれぞれ位置する２個の側面２１ａ，２１ｂを除いた外面の全面が、保護膜２２にて被覆されている。
【００１６】
すなわち、コンデンサ素子１２は、樹脂フィルム１４と金属蒸着膜１６とが、交互に１個ずつ位置するように積層されてなる、従来より公知の積層型（積層タイプ）の基本構造を有しており、最上層と最下層とを含む最外層が、保護膜２２にて構成されている。そして、かかるコンデンサ素子１２の上面と下面と幅方向（図１の左右方向で、図２の紙面に垂直な方向）の両側に位置する２個の側面とが、保護膜２２の上面２３と下面２４と幅方向両側の側面２５ａ，２５ｂとにて形成されていると共に、コンデンサ素子１２の長さ方向の両側に位置する２個の側面が、保護膜２２が形成されていない、積層構造体２０の長さ方向両側の側面２１ａ，２１ｂにて、それぞれ形成されている。なお、以下からは、便宜上、樹脂フィルム１４と金属蒸着膜１６との積層方向を上下方向と言うこととする。
【００１７】
そのようなコンデンサ素子１２の誘電体膜を構成する樹脂フィルム１４は、ここでは、ポリプロピレン製の延伸フィルムからなり、１〜１０μｍ程度の薄い厚さを有している。なお、樹脂フィルム１４の形成材料は、ポリプロピレンに何等限定されるものではなく、例えば、ポリエチレンテレフタレートやポリフェニレンサルファイド、ポリエチレンナフタレート等、従来のフィルムコンデンサの誘電体膜を構成する樹脂フィルムの形成材料として使用される絶縁性の樹脂材料が、ポリプロピレンに代えて、適宜に用いられ得る。
【００１８】
また、本実施形態では、コンデンサ素子１２の最外層を構成する保護膜２２も、誘電体膜を構成する樹脂フィルム１４と同じポリプロピレン製の延伸フィルムにて構成されている。この保護膜２２は、積層構造体２０を保護し、且つ内部電極膜として形成される金属蒸着膜１６の短絡を防止するために、適度な強度と電気絶縁性とを有している必要がある。また、金属蒸着膜１６への通電により生ずる熱が、後述する放熱板３２を通じて外部に放出され得るように、保護膜２２は、十分な伝熱性も備えていなければならない。
【００１９】
それ故、そのような保護膜２２の形成材料としては、電気絶縁性と伝熱性とを兼備した材料の中から適宜に選択され、具体的には、ポリプロピレンが一般に用いられる。また、保護膜２２の厚さも、特に限定されるものではないものの、好ましくは、３〜３０μｍ程度の厚さとされる。何故なら、保護膜２２が３μｍよりも薄いと、余りに薄過ぎて、保護膜２３が発揮すべき保護機能を十分に確保することが困難となる恐れがあるといった不具合が惹起される恐れがあり、また、３０μｍよりも厚くしても、保護膜２３の有する保護機能が更に向上することが望めず、却って、保護膜２３の形成に際しての材料コストが高くとなるといった問題が生ずる可能性があるからである。
【００２０】
金属蒸着膜１６は、上記のように、コンデンサ素子１２の内部電極膜を構成するものであって、従来より公知の金属化フィルム１８の製造工程を実施することにより、樹脂フィルム１４の一方の面上に積層形成されるものである。つまり、金属蒸着膜１６は、フィルムコンデンサの内部電極膜を形成する公知の金属材料（例えば、アルミニウムや亜鉛等）を蒸着材として用いて、ＰＶＤやＣＶＤの範疇に属する、従来から公知の真空蒸着法を実施することにより、樹脂フィルム１４の一方の面上に成膜される。このような金属蒸着膜１６の膜抵抗値は１〜５０Ω／ｃｍ2 程度とされ、また、その膜厚は、膜抵抗値等によって適宜に決定される。
【００２１】
コンデンサ素子１２の、保護膜２２が積層されていない２個の側面２１ａ，２１ｂ、即ち、樹脂フィルム１４と金属蒸着膜１６の積層方向に対して垂直な一方向の両側に位置する一対の端面たる２個の側面２１ａ，２１ｂには、外部電極としてのメタリコン電極２６が、それぞれ、１個ずつ形成されている。それらのメタリコン電極２６，２６は、２個の側面２１ａ，２１ｂのそれぞれに対して純亜鉛を溶射することにより形成されている。
【００２２】
また、かかるコンデンサ素子１２においては、互いに積層された複数の金属化フィルム１８に、マージン部２８が、それぞれ形成されている。それら各マージン部２８は、メタリコン電極２６がそれぞれ形成された２個の側面２１ａ，２１ｂのうちの一方側と他方側とにそれぞれ互い違いに位置するように配置されている。これによって、互いに積層された複数の金属化フィルム１８のうち、奇数段目に位置する金属化フィルム１８の金属蒸着膜１６が、例えば陽極を形成する、一方のメタリコン電極２６に、また、偶数段目に位置する金属化フィルム１８の金属蒸着膜１６が、例えば陰極を形成する、他方のメタリコン電極２６に、それぞれ接続されている。
【００２３】
さらに、２個のメタリコン電極２６，２６には、外部接続用の端子３０，３０が、それぞれ接続されている。それら各端子３０は、何れも、長手矩形状の金属平板からなっている。このような端子３０が、上下方向に延びるように配置されて、上端側部位を、コンデンサ素子１２の上面から上方に突出位置させた状態で、下端部において、例えば、半田付け等により、各メタリコン電極２６の外面に固着されている。
【００２４】
そして、本実施形態のフィルムコンデンサ１０にあっては、特に、放熱板３２が、コンデンサ素子１２に対して、保護膜２２のみに接触して、装着されていると共に、コンデンサ素子１２の全体が、樹脂被覆層３４にて被覆されており、そこに、従来には見られない大きな特徴が存しているのである。
【００２５】
より具体的には、放熱板３２は、比較的に広幅の帯状金属平板からなっている。この放熱板３２を与える金属材料は、特に限定されるものではないものの、優れた熱伝導性と成形性とを有する金属材料であることが、望ましい。その点からして、放熱板３２の形成材料としては、例えば、アルミニウムや銅等が、好適に用いられる。なお、放熱板３２の形成材料としては、十分な伝熱性を発揮し得るものであれば、金属材料に何等限定されるものではない。従って、例えば、放熱板３２の形成材料として、熱伝導性が良好な樹脂材料等も、適宜に用いられ得る。
【００２６】
なお、図１及び図２では、コンデンサ素子１２の構造の理解を容易とする上で、樹脂フィルム１４や金属蒸着膜１６が現実のものより十分に厚く記載されているために、それら樹脂フィルム１４や金属蒸着膜１６と放熱板３２とが、略同程度の厚さで描かれているが、実際には、放熱板３２が、樹脂フィルム１４や金属蒸着膜１６よりも十分に大きな肉厚を有していることが、理解されるべきである。また、かかる放熱板３２の具体的な厚さや幅寸法は、コンデンサ素子１２の大きさ等に応じて、適宜に決定されるところである。しかしながら、放熱板３２は、十分な伝熱性能を得る上において、幅寸法が、メタリコン電極２６に接続された端子３０の幅よりも大きくされていることが望ましい。
【００２７】
そして、そのような放熱板３２は、長さ方向の中間部が接触部３６とされており、また、長さ方向の両端側部分が放熱部３８，３８とされ、更に、接触部３６と２個の放熱部３８，３８との間に位置する部分が、それら接触部３６と放熱部３８を連結する連結部４０とされている。
【００２８】
この放熱板３２の接触部３６は、略環状形態を呈し、コンデンサ素子１２の長さ方向中間部に対して、その下面（保護膜２２の下面２４）の一部を除いた部分を囲繞するように、巻き付けられている。これによって、接触部３６が、コンデンサ素子１２の上面と幅方向両側の２個の側面とを構成する保護膜２２の上面２３と２個の側面２５ａ，２５ｂのそれぞれの長さ方向中間部に対して、それらの全幅に亘って接触して、配置されていると共に、コンデンサ素子１２の下面を構成する保護膜２２の下面２４の長さ方向中間部における幅方向の両端側部分に接触して、配置されている。そうして、放熱板３２が、接触部３６において、保護膜２２のみ接触して、金属蒸着膜１６やメタリコン電極２６とは非接触の状態で、コンデンサ素子１２に圧着されている
【００２９】
一方、２個の放熱部３８，３８は、何れも、平板形態を呈し、コンデンサ素子１２よりも下側で、それと所定距離を隔てた同一の高さ位置において、コンデンサ素子１２の幅方向（図１の左右方向）に延びるように配置されている。また、それら２個の放熱部３８，３８のうちの一方の放熱部３８の先端側部分（放熱板３２の一端部）が、コンデンサ素子３２の幅方向の一方の側面２５ａよりも外方に向かって、所定長さだけ延び出している一方、他方の放熱部３８の先端側部分（放熱板３２の他端部）が、コンデンサ素子３２の幅方向の他方の側面２５ｂよりも外方に向かって、所定長さだけ延び出している。そして、そのような２個の放熱部３８，３８のそれぞれの先端側部分に、取付ねじ４２（図１に二点鎖線で示す）が挿通される挿通孔４４が、各々１個ずつ穿設されている。かくして、ここでは、各放熱部３８の先端側部分が、挿通孔４４に挿通された取付ねじ４２によって、例えば電子機器（図示せず）の所定部位に取り付けられる取付部４６とされている。
【００３０】
また、２個の連結部４０，４０も、平板形態を呈している。そして、環状形態を呈する接触部３６の周方向両端と、２個の放熱部３８，３８の取付部４６側とは反対側の端部との間において、上下方向に延びるように配置されて、それら接触部の周方向両端と２個の放熱部３８，３８の各端部とを一体的に連結している。
【００３１】
かくして、放熱板３２が、コンデンサ素子１２の外面に、接触部３６を接触させる一方、２個の放熱部３８，３８をコンデンサ素子１２の側方に延出させた状態で、コンデンサ素子１２に装着されている。そして、それによって、金属蒸着膜１６への通電により、金属蒸着膜１６、更にはコンデンサ素子１２が発熱した際に、その熱が、保護膜２２を介して、放熱板３２の接触部３６に伝達され、更に、連結部４０を通じて、接触部３６から２個の放熱部３８，３８にそれぞれ伝達されるようになっている。また、コンデンサ素子１２の熱は、２個のメタリコン電極２６から、それらに接続された２個の端子３０，３０にもそれぞれ伝達されることとなる。
【００３２】
一方、樹脂被覆層３４は、コンデンサ素子１２の上面及び下面と幅方向両側側面とをそれぞれ形成する保護膜２２の上面２３及び下面２４と幅方向両側側面２５ａ，２５ｂの全面と、コンデンサ素子１２の長さ方向両側側面２１ａ，２１ｂにそれぞれ形成されたメタリコン電極２６，２６の外面の全面とを、それぞれ被覆する状態で、コンデンサ素子１２の外面に対して、一体的に積層形成されている。換言すれば、端子３０付きのメタリコン電極２６，２６を備えたコンデンサ素子１２の全体が、樹脂被覆層３４内に埋設されているのである。
【００３３】
コンデンサ素子１２を被覆する樹脂被覆層３４は、ここでは、エポキシ樹脂を用いて形成されている。樹脂被覆層３４は、コンデンサ素子１２の全体を被覆することで、コンデンサ素子１２の耐湿性や強度の向上、及びメタリコン電極２６と端子３０の接続強度の向上等を図るものである。従って、樹脂被覆層３４の形成材料は、そのような目的を達成可能な特性を有するものであれば、その種類が、何等限定されるものではなく、例えば、ウレタン樹脂やシリコン樹脂等が、エポキシ樹脂に代えて用いられ得る。また、樹脂被覆層３４の厚さも、例えば、コンデンサ素子１２の大きさや樹脂被覆層３４の材質等を考慮して、適宜に変更され得るが、一般的には０．５〜３０ｍｍ程度とされる。
【００３４】
樹脂被覆層３４の形成方法も、コンデンサ素子１２の外面上に樹脂被覆層３４を一体的に積層形成可能であれば、特に限定されるものではなく、従来より公知の手法が、適宜に採用され得る。例えば、端子３０が接続されたメタリコン電極２６を長さ方向両側端面２１ａ，２１ｂを有するコンデンサ素子１２を、所定の金型の成形キャビティ内に収容すると共に、かかる成形キャビティ内に溶融樹脂を充填し、それを固化させる工程を実施する、所謂モールド成形によって、樹脂被覆層３４を形成することができる。また、端子３０が接続されたメタリコン電極２６を長さ方向両側端面２１ａ，２１ｂを有するコンデンサ素子１２を溶融樹脂内に浸漬して、かかるコンデンサ素子１２の周囲に溶融樹脂を付着させた後、それを固化させる工程を実施する、所謂ディップ成形によっても、樹脂被覆層３４を形成することができる。
【００３５】
そして、本実施形態のフィルムコンデンサ１０においては、そのような樹脂被覆層３４によるコンデンサ素子１２の被覆状態下（コンデンサ素子１２の樹脂被覆層３４への埋設状態下）で、放熱板３２の接触部３６が、コンデンサ素子１２の保護膜２２に接触して、巻き付けられた状態で、２個の連結部４０，４０の各上端部と共に、樹脂被覆層３４内に埋入されている。これによって、放熱板３２が、コンデンサ素子１２、更にはフィルムコンデンサ１０に固定されている。
【００３６】
また、各メタリコン電極２６に接続された端子３０の上端部が、樹脂被覆層３４の上面から上方に突出して、外部に露出している。更に、放熱板３２の２個の連結部４０，４０の各下端部と２個の放熱部３８，３８の全体とが、樹脂被覆層３４の下面から下方に突出して、外部に露出している。そして、外部に露出した２個の放熱部３８，３８が、樹脂被覆層３４の下面の下方において、かかる下面と平行に延びるように配置されている。
【００３７】
このように、本実施形態のフィルムコンデンサ１０においては、２個のメタリコン電極２６，２６に接続された端子３０，３０の上端部と、接触部３６においてコンデンサ素子１２に接触して、コンデンサ素子１２の熱を伝達する放熱板３２の２個の放熱部３８，３８が、外部に露出している。それ故、金属蒸着膜１６への通電によって生ずる熱が、２個の端子３０の各上端部と放熱板３２の２個の放熱部３８，３８とから、外部（大気中）に確実に放出され得る。従って、２個の端子３０，３０だけによって放熱される従来品に比して、より十分に且つ効率的に放熱され得る。
【００３８】
そして、その結果として、本実施形態のフィルムコンデンサ１０にあっては、たとえ金属蒸着膜１６が薄肉化されて、小型化されても、十分な放熱効果が安定的に確保され、以て、電子機器内への高密度実装が、極めて有利に実現され得ることとなるのである。
【００３９】
また、本実施形態のフィルムコンデンサ１０においては、樹脂被覆層３４から突出した放熱板３２の２個の放熱部３８，３８に対して、コンデンサ素子１２、更にはフィルムコンデンサ１０の全体を電子機器（図示せず）の所定部位に取り付けるための取付部４６が、それぞれ形成されている。即ち、かかるフィルムコンデンサ１０では、従来のケースモールド型コンデンサが有する、電子機器等への取付部を備えたコンデンサケースの機能を、放熱板３２が、放熱機能に加えて兼備している。そして、コンデンサ素子１２の全体が、十分な耐湿性や強度を有する樹脂被覆層３４内に埋設されている。
【００４０】
それ故、本実施形態のフィルムコンデンサ１０にあっては、従来のケースモールド型コンデンサとは異なって、コンデンサケースが不要とされて、省略可能となっている。従って、コンデンサケースを省略した分だけ、フィルムコンデンサ１０全体の軽量化が有利に図られ得るだけでなく、コンデンサケース内に封止樹脂を充填する、時間と手間の掛かる工程が省略され、それによって、製造工程の簡略化が効果的に実現され得るのである。
【００４１】
次に、図３及び図４には、本発明に従う構造を有する別の実施形態が、切断部位が互いに異なる縦断面形態において、それぞれ示されている。それら図３及び図４から明らかなように、本実施形態のフィルムコンデンサ５０は、前記第一の本実施形態に係るフィルムコンデンサ１０とは、放熱板５２の構造以外は同様な構造とされている。それ故、本実施形態のフィルムコンデンサ５０に関しては、前記第一の実施形態に係るフィルムコンデンサ１０と同様な構造とされた部位及び部材について、図３及び図４に図１及び図２と同一の符号を付すことにより、詳細な説明を省略する。
【００４２】
すなわち、本実施形態のフィルムコンデンサ５０にあっても、コンデンサ素子１２が、樹脂フィルム１４と金属蒸着膜１６とを積層した金属化フィルム１８の複数を更に積層してなる、従来より公知の積層型の基本構造を有しており、最上層と最下層とを含む最外層が、保護膜２２にて構成されている。また、そのようなコンデンサ素子１２の長さ方向両側に位置する２個の側面２１ａ，２１ｂには、外部電極としてのメタリコン電極２６がそれぞれ形成されている。更に、それら各メタリコン電極２６には、金属平板からなる外部接続用の端子３０が、それぞれ接続されている。
【００４３】
そして、かかるフィルムコンデンサ５０においては、放熱板５２が、コンデンサ素子１２の上面と下面とをそれぞれ構成する保護膜２２の上面２３と下面２４とに接触して、コンデンサ素子１２に装着されている。
【００４４】
より詳細には、図５乃至図７に示されるように、放熱板５２は、平板状のバネ鋼を略コ字状に屈曲形成してなるバネクリップからなっている。そして、広幅で略長手矩形の平板にて構成されて、互いに対向配置された２個の押圧板部５４，５４と、それら２個の押圧板部５４，５４の長さ方向の一端部同士を相互に連結する連結板部５６とを一体的に有している。
【００４５】
２個の押圧板部５４，５４のそれぞれの長さ方向の中間部には、屈曲部５５が形成されている。そして、それら押圧板部５４，５４の屈曲部５５よりも連結板部５６とは反対側に位置する部分が、接触部５８，５８とされている一方、押厚板部５４，５４の屈曲部５５よりも連結板部５６側に位置する部位、及びかかる部位と連結板部５６との間で形成される角部を含んだ部分が、ばね部６０，６０とされている。それら２個の接触部５８，５８は、連結板部５６に対して略直角な方向において互いに平行に延びるように配置されている。また、２個のばね部６０，６０は、屈曲部５５側から連結板部５６側に向かって、互いの対向面間距離が次第に大きくなるように傾斜して配置されている。更に、各接触部５８の屈曲部５５側とは反対側の先端部には、湾曲形態をもって外側にカールしたカール部６２が、それぞれ設けられている。
【００４６】
そして、図３及び図４に示されるように、上記の如き構造とされた放熱板５２の２個の押圧板部５４，５４が、それらの対向面間距離が大きくなるように押し広げられて、ばね部６０，６０が弾性変形させられた状態で、コンデンサ素子１２の長さ方向中央部に対して、例えば幅方向一方側から外挿される等して、嵌着（装着）されている。
【００４７】
このような放熱板５２のコンデンサ素子１２に対する嵌着状態下では、２個の押圧板部５４，５４の接触部５８，５８が、それぞれの対向面の全面において、コンデンサ素子１２の上面と下面（保護膜２２の上面２３と下面２４）の長さ方向中央部における幅方向略中央から幅方向一方側の端縁までの領域に接触している。これにより、金属蒸着膜１６への通電時においてコンデンサ素子１２に生ずる熱が、保護膜２２の上面２３と下面２４を通じて、接触部５８，５８に伝達され、そして、それら接触部５８，５８からばね部６０，６０及び連結板部５６に伝達されるようになっている。
【００４８】
また、２個の接触部５８，５８は、コンデンサ素子１２の上面と下面の長さ方向中央部における幅方向略中央から幅方向一方側の端縁までの領域の全体を、ばね部６０，６０の弾性変形状態からの復元力に基づいて、コンデンサ素子１２の厚さ方向（上下方向）の中心に向かって、即ち、樹脂フィルム１４と金属蒸着膜１６との積層方向の内側に向かって、それぞれ押圧している。これにより、コンデンサ素子１２を構成する複数の金属化フィルム１８のうち、それらの積層方向において隣り合うもの同士が、ばね部６０，６０の復元力に基づく接触部５８，５８の押圧力にて、相互に密接させられている。
【００４９】
このように、本実施形態のフィルムコンデンサ５０においては、コンデンサ素子１２の熱が、放熱板５２の接触部５８，５８からばね部６０，６０と連結板部５６に伝達されるようになっている。そして、それら放熱板５２の押圧板部５４，５４のばね部６０，６０と連結板部５６とが、外部に露出した状態で配置されている。そのため、金属蒸着膜１６への通電によってコンデンサ素子１２に生ずる熱が、放熱板５２の押圧板部５４，５４のばね部６０，６０と連結板部５６とを通じて、外部（大気中）に放出され得る。また、コンデンサ素子１２の２個の側面２１ａ，２１ｂに形成されたメタリコン電極２６，２６にそれぞれ接続される端子３０，３０を通じても、コンデンサ素子１２の熱が、外部に放出されるようになっている。
【００５０】
従って、かかるフィルムコンデンサ５０では、２個の端子３０，３０だけによって放熱される従来品に比して、より十分に且つ効率的に放熱され得る。そして、その結果として、たとえ金属蒸着膜１６が薄肉化されて、小型化されても、十分な放熱効果が安定的に確保され、以て、電子機器内への高密度実装が、極めて有利に実現され得ることとなるのである。
【００５１】
また、本実施形態のフィルムコンデンサ５０にあっては、押圧板部５４，５４の接触部５８，５８からの押圧力によって、コンデンサ素子１２を構成する複数の金属化フィルム１８の積層方向において互いに隣り合うもの同士が相互に密接させられている。このため、それら金属化フィルム１８同士の間に形成される微細な隙間が無くされているか、又は十分に小さくされている。それ故、金属蒸着膜１６への通電によって金属化フィルム１８の振動が励起されたときに、金属化フィルム１８の振動を許容する隙間が有利に消失され、それによって、金属化フィルム１８の振動の発生が、効果的に防止される。そして、その結果として、そのような金属化フィルム１８の振動に由来する、コンデンサ素子１２の通電時の騒音の発生が、極めて有利に防止され得るのである。
【００５２】
さらに、かかるフィルムコンデンサ５０では、接触部５８，５８が、コンデンサ素子１２の上面と下面の長さ方向及び幅方向の中央部分を含む領域を、金属化フィルム１８の積層方向の内側に向かって押圧している。それ故、金属蒸着膜１６への通電により各金属化フィルム１８が振動した際に、振幅が最大となる、コンデンサ素子１２の上面と下面の長さ方向及び幅方向の中央部分の振動が、より効果的に防止乃至は抑制され得る。これによっても、コンデンサ素子１２の通電時の騒音の発生が、更に一層効果的に防止され得ることとなるのである。
【００５３】
また、本実施形態においては、接触部５８，５８が、ばね部６０，６０の弾性変形状態からの復元力に基づいて、コンデンサ素子１２の上面と下面とに押圧接触している。そのため、例えば、コンデンサ素子１２が、長期に亘って作用される接触部５８，５８による押圧力により、或いはその他の理由により、厚さ（上下方向寸法）方向にヘタリ等が生じて、多少、厚さが減少しても、接触部５８，５８のコンデンサ素子１２に対する押圧力が、ばね部６０，６０の復元力に基づいて、有効に維持される。このため、そのような接触部５８，５８のコンデンサ素子１２に対する押圧により得られるコンデンサ素子１２の通電時の騒音の発生防止効果が、より長期に亘って安定的に確保され得る。
【００５４】
さらに、本実施形態のフィルムコンデンサ５０にあっては、放熱板５２における押圧板部５４，５４の接触部５８，５８の先端側部分に、外側にカールするカール部６２が設けられている。そのため、接触部５８，５８がコンデンサ素子１２の上面と下面とに対して、押圧接触した状態下で、それら接触部５８，５８の先端角部にて、コンデンサ素子１２の上面と下面とが傷付けられるようなことが、有利に防止され得る。
【００５５】
以上、本発明の具体的な構成について詳述してきたが、これはあくまでも例示に過ぎないのであって、本発明は、上記の記載によって、何等の制約をも受けるものではない。
【００５６】
例えば、コンデンサ素子１２の構造は、前記第一及び第二の実施形態に例示された積層型構造に、何等限定されるものではなく、巻回型（巻回タイプ）の基本構造を有していても良い。この巻回型構造を有するコンデンサ素子１２は、例えば、樹脂フィルム１４の一方の面に金属蒸着膜１６が積層されてなる金属化フィルム１８の少なくとも２個を重ね合わせた後、そのような重合物を巻回することにより形成される。また、樹脂フィルム１４の両方の面に金属蒸着膜１６がそれぞれ積層されてなる金属化フィルム１８と、樹脂フィルム１４とを用い、樹脂フィルム１４と金属蒸着膜１６とが交互に１個ずつ位置するように、それら金属化フィルム１８と樹脂フィルム１４とを重ね合わせた後、かかる重合物を巻回することによっても形成される。
【００５７】
なお、コンデンサ素子１２が積層型構造を有する場合にあっても、例えば、樹脂フィルム１４の両面に金属蒸着膜１６が積層されてなる金属化フィルム１８と、樹脂フィルム１４とを、それぞれ少なくとも１個ずつ用い、樹脂フィルム１４と金属蒸着膜１６とが交互に１個ずつ位置するように、それら金属化フィルム１８と樹脂フィルム１４とを積層して、コンデンサ素子１２を形成することもできる。
【００５８】
また、誘電体膜は、樹脂フィルム１４に代えて、或いはそれと一緒に、例えば、真空蒸着重合法によって形成される蒸着重合膜を用いることも可能である。誘電体膜として、樹脂フィルム１４と蒸着重合膜を併用する場合には、それら樹脂フィルム１４と蒸着重合膜とを積層した複合誘電体膜の一方又は両方の面に金属蒸着膜１６を形成して、積層体を形成しても良い。
【００５９】
前記第一の実施形態では、放熱板３２が、コンデンサ素子１２（保護膜２２）に対して、その上面及び下面と、メタリコン電極２６，２６が形成されていない２個の側面とに接触するように巻き付けられて、装着されていた。しかしながら、放熱板３２は、コンデンサ素子１２（２２）の外面の少なくとも一部のみに接触されておれば良い。従って、放熱板３２が、コンデンサ素子１２に対して、その上面及び下面と、メタリコン電極２６，２６が形成されていない２個の側面のうちの少なくとも一つの面の少なくとも一部に接触した状態で、装着されていても、何等差し支えないのである。
【００６０】
前記第一の実施形態では、コンデンサ素子１２を電子機器等に取り付けるための取付部４６が、放熱板３２に設けられていた。しかしながら、この取付部４６は、本発明において必須のものではなく、また、取付部４６を放熱板３２に設ける場合にあっても、その構造が、何等限定されるものではない。従って、例えば、放熱板３２の外部に露出される放熱部３８の一部に、電子機器等に半田付け等によって固着される固着部を設け、この固着部を取付部としても良いのである。
【００６１】
さらに、前記第二の実施形態に示されるように、放熱板５２をバネクリップにて構成する場合にあっても、かかるバネクリップは、個の押圧板部５４，５４を有するものであれば、従来より公知の構造が何れも採用可能であり、その材質も、良好な伝熱性を有するものであれば、金属製以外の、例えば樹脂製であっても良い。
【００６２】
また、バネクリップにて構成された放熱板５２を、巻回型構造を有するコンデンサ素子１２に装着する場合には、例えば、コンデンサ素子１２が扁平形状となるように圧縮された際の圧縮方向の両側に位置する、コンデンサ素子１２の平坦な外面部分に対して、押圧板部５４，５４の接触部５８，５８が接触して、それらの外面部分が、誘電体膜としての樹脂フィルム１４と金属蒸着膜１６との積層方向の内側に向かって、接触部５８，５８にて押圧されることとなる。
【００６３】
さらに、放熱板５２をバネクリップにて構成する場合にも、放熱板５２が装着されたコンデンサ素子１２を樹脂被覆層３４にて被覆しても良く、或いはかかるコンデンサ素子１２を、公知のコンデンサケース内に収容して、コンデンサケース内に充填される樹脂にて封止しても良い。なお、その場合には、放熱板５２の少なくとも一部、例えば、ばね部６０，６０や連結板部５６等を、樹脂被覆層３４や封止樹脂から突出させて、外部に露出させる必要がある。
【００６４】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【００６５】
１０  フィルムコンデンサ              １２  コンデンサ素子
１４  樹脂フィルム                    １６  金属蒸着膜
２１ａ，２１ｂ  側面                  ２２  保護膜
２６  メタリコン電極                  ３０  端子
３２，５２  放熱板                    ３４  樹脂被覆層
３６，５８  接触部                    ３８  放熱部
４６  取付部                          ５４  押圧板部
５６  連結板部
【図１】
2013038298.tif 000003
【図２】
2013038298.tif 000004
【図３】
2013038298.tif 000005
【図４】
2013038298.tif 000006
【図５】
2013038298.tif 000007
【図６】
2013038298.tif 000008
【図７】
2013038298.tif 000009